(57)【特許請求の範囲】
【請求項１】
挿入排出口から挿入された通帳を搬送ローラにより搬送し、必要に応じて頁めくりをし、印字処理等をした後、その通帳を前記搬送ローラにより前記挿入排出口に搬送して返却する通帳処理装置において、以下の構成を有する頁めくり機構を備えたことを特徴とする通帳処理装置。
（ａ）搬送路途中の搬送方向に隣合う２組の搬送ローラの間に設けられた頁めくり領域。
（ｂ）他の搬送ローラの駆動ローラよりも大きい摩擦係数を有する駆動ローラとこれに対応する押えローラの組合わせからなり、前記駆動ローラはめくりローラとして兼用される前記２組の搬送ローラ。
（ｃ）前記２組の搬送ローラの駆動ローラを回転させる回転駆動手段。
（ｄ）前記２組の搬送ローラの押えローラを前記２組の搬送ローラの前記駆動ローラに対して昇降して押圧離間させる押えローラ昇降手段。
（ｅ）前記頁めくり領域の搬送面の上側に設けられたガイド板。
（ｆ）そのガイド板を通帳を搬送面に沿って案内する案内位置と前記搬送面から上方に離間された退避位置とに移動させる昇降駆動手段。
（ｇ）前記２組の搬送ローラの各駆動ローラの近傍に、通帳を搬送面に対して押圧する押圧位置と搬送面から上方に離間された退避位置との間を昇降自在に設けられた頁押え部材及び前記頁押え部材を前記押圧位置又は退避位置に移動させる駆動手段からなる頁押え手段。
（ｈ）前記挿入排出口に挿入されて搬送される通帳の綴じ目が前記２組の搬送ローラのうち一方の搬送ローラのニップ部に到達する直前でかつその通帳の後端が前記２組の搬送ローラのうち他方の搬送ローラに挟持されている状態で、前記一方の搬送ローラの駆動ローラの回転を停止するとともに前記他方の搬送ローラの駆動ローラの回転を一定時間継続させて頁めくり動作を行い、その頁めくり動作の終盤に前記他方の搬送ローラに対応する前記押えローラ昇降手段に前記押えローラを駆動ローラから離間させるとともに前記頁押え手段に前記頁押え部材を押圧位置に移動させ、１回の頁めくり動作を終了したとき前記押えローラの離間及び頁押え部材の押圧を解除させる制御手段。
【請求項２】
制御手段は、指定された枚数の頁めくりを終了するまで、前記他方の搬送ローラの所定量回転による頁めくり動作と前記頁押え部材による通帳の搬送面への押圧と前記押えローラの駆動ローラからの離間並びに１回の頁めくり動作を終了したときの前記頁押え部材の押圧と前記押えローラの離間の解除を繰り返すことを特徴とする請求項１に記載された通帳処理装置。
【発明の詳細な説明】
【０００１】
【発明の属する技術分野】
本発明は、通帳を機内の所定位置まで搬送し、必要に応じて頁めくりをして、印字処理等を行う通帳処理装置に関する。
【０００２】
【従来の技術】
通帳を機内の所定位置まで搬送し、必要に応じて頁めくりをして、印字処理等を行う従来の通帳処理装置は、搬送路の途中に頁めくり機構を備えているが、その頁めくり機構は、頁めくり領域の前後に設けられた搬送ローラの間に、昇降手段に結合されためくりローラを有してなるものである。めくりローラは、上頁めくり用と下頁めくり用の１対が設けられ、それぞれ一方向クラッチを内蔵して、自由回転方向を異にしている。
そして、見開き状態の通帳が搬送手段により頁めくり領域まで搬送されて停止されたときに、一方のめくりローラを通帳のめくり頁面に下降押圧した状態で、搬送手段によりその通帳をそのめくりローラに向けて移動することにより、そのめくりローラに摩擦係止されている中紙を十分に撓ませ、そのめくりローラを上方に離間させることにより、その中紙を反転させて、頁めくりを達成するように構成してある。
【０００３】
【発明が解決しようとする課題】
上記従来の頁めくり機構は、めくりローラと通帳の中紙との間に生じる摩擦力が中紙同志の接触面の間に生じる摩擦力よりも大きいことを利用して、搬送される通帳の最上の中紙を捕捉分離して撓ませるとともに、撓んだ中紙の弾性を利用して反転させるものである。そのため、通帳が閉じた状態で挿入された場合は、表紙は剛性が大きくて容易に撓まないので、めくることができない。
そのため、従来の通帳処理装置は、通帳が閉じた状態で挿入された場合は、これを通帳検知器からの検知信号に基づいて判断し、エラー表示をするとともに、その通帳を返却するようになっている。
従って、通帳を見開き状態にして再度挿入し直さなければならないという繁雑さがあった。
仮に、めくりローラの摩擦係数を大きくして表紙をめくること、又は中紙をめくることを可能にしても、従来は１頁をめくるたびに正逆搬送を繰り返す必要があるから、所要頁までめくるまでに長時間かかるという問題点が考えられる。
【０００４】
本発明は、上記の事情に鑑みて成されたものであり、その課題は、通帳を閉じた状態で挿入した場合にも、再度挿入し直す必要なしに、その通帳に対する処理ができるようにすることにある。
また、閉じた状態で挿入された通帳を所定頁までめくる場合に、所要時間が短縮されるようにすることにある。
【０００５】
【課題を解決するための手段】
上記課題を解決するため、本発明は、通帳を機内に搬送し、必要に応じて頁めくりをし、印字処理等をした後、機外に搬送して返却する通帳処理装置において、以下の構成を有する頁めくり機構を備えたことを特徴としている。
（ａ）搬送路途中の搬送方向に隣合う２組の搬送ローラの間に設けられた頁めくり領域。（ｂ）他の搬送ローラの駆動ローラよりも大きい摩擦係数を有する駆動ローラとこれに対応する押えローラの組合わせからなり、前記駆動ローラはめくりローラとして兼用される前記２組の搬送ローラ。（ｃ）前記２組の搬送ローラの駆動ローラを回転させる回転駆動手段。（ｄ）前記２組の搬送ローラの押えローラを前記２組の搬送ローラの前記駆動ローラに対して昇降して押圧離間させる押えローラ昇降手段。（ｅ）前記頁めくり領域の搬送面の上側に設けられたガイド板。（ｆ）そのガイド板を通帳を搬送面に沿って案内する案内位置と前記搬送面から上方に離間された退避位置とに移動させる昇降駆動手段。（ｇ）前記２組の搬送ローラの各駆動ローラの近傍に、通帳を搬送面に対して押圧する押圧位置と搬送面から上方に離間された退避位置との間を昇降自在に設けられた頁押え部材及び前記頁押え部材を前記押圧位置又は退避位置に移動させる駆動手段からなる頁押え手段。（ｈ）前記挿入排出口に挿入されて搬送される通帳の綴じ目が前記２組の搬送ローラのうち一方の搬送ローラのニップ部に到達する直前でかつその通帳の後端が前記２組の搬送ローラのうち他方の搬送ローラに挟持されている状態で、前記一方の搬送ローラの駆動ローラ回転を停止するとともに前記他方の搬送ローラの駆動ローラの回転を一定時間継続させて頁めくり動作を行い、その頁めくり動作の終盤に前記他方の搬送ローラに対応する前記押えローラ昇降手段に前記押えローラを駆動ローラから離間させるとともに前記頁押え手段に前記頁押え部材を押圧位置に移動させ、１回の頁めくり動作を終了したとき前記押えローラの離間及び頁押え部材の押圧を解除させる制御手段。
【０００６】
上記構成により、通帳が搬送ローラにより頁めくり領域まで搬送され、その通帳の綴じ目が頁めくり領域の前後に存在する搬送ローラのうち一方の搬送ローラの駆動ローラのニップ部直前に到達し、かつ、その通帳の後端が頁めくり領域の前後に存在する搬送ローラのうち他方の搬送ローラに挾持されている状態で、ガイド板を退避位置に上昇させて保持し、前記一方の搬送ローラの駆動ローラを止め、かつ前記他方の搬送ローラの駆動ローラを同一方向に回転させると、その搬送ローラに挾持されている通帳の最上の頁（表紙又は中紙）がその搬送ローラのめくりローラとして作用する駆動ローラの回転量に応じた分だけめくり上げられる。
１頁のめくり動作の終盤、すなわち、他方の搬送ローラの駆動ローラの所定回転量の終了直前に、押えローラ昇降手段及び頁押え手段が動作されて、回転されている搬送ローラの押えローラが駆動ローラから離間され、かつ、搬送ローラに挟持されている頁が頁押え部材により搬送面に押圧保持される。従って、めくり上げられる頁が残された頁から容易確実に分離され、また、駆動ローラが残された頁にめくり上げ力を加えることがない。従って、過剰めくりが防止される。
１回の頁めくり動作が終了すると、押えローラの離間及び頁押え部材の押圧が解除される。
【０００７】
請求項２の発明は、前記制御手段が指定された枚数の頁めくりを終了するまで、前記他方の搬送ローラの所定量回転による頁めくり動作と前記頁押え部材による通帳の搬送面への押圧と前記押えローラの駆動ローラからの離間並びに１回の頁めくり動作を終了したときの前記頁押え部材の押圧と前記押えローラの離間の解除を繰り返すことを特徴としている。
このような制御手段を用いることにより、１頁のめくり動作の終盤ごとに押えローラの駆動ローラからの離間と通帳の搬送面への押圧とが行われ、かつ、１回のめくり動作を終了するたびに押えローラの離間と頁押え部材の押圧が解除される。そして、頁押え手段及び押えローラ昇降手段の制御手順の設定の仕方により、閉じた状態の通帳の表紙めくりと見開き状態の通帳の中紙めくりとを連続して、又は中紙めくりのみを所定頁まで、過剰めくりを確実に防止ながら連続して行うことができる。
【０００８】
【発明の実施の形態】
次に、本発明の実施の形態について、図面に基づいて説明する。
図１は、本発明の通帳処理装置の要部の構成を概略的に示す構成図、図２は同装置の通帳めくり機構による表紙めくり動作の説明図、図３は制御部による制御動作を説明するフローチャート、図４はタイミングチャートである。
【０００９】
図１において、通帳処理装置の通帳挿入排出口１の内側に、通帳が挿入されたこと又は通帳が排出されたことを検知するための検知器Ｓ１が設けてある。検知器Ｓ１のさらに内側に通帳を搬送するための搬送路２が形成してあり、その搬送面に沿って駆動ローラａと押えローラｂの組合わせからなる複数対の搬送ローラ３1 ，３2 ，３3 …が所定の間隔をもって配設されている。これらの搬送ローラ３1 ，３2 ，３3 …は、第１搬送モータＭ１により回転駆動されるようになっている。
そして、搬送路の途中の駆動ローラＡと押えローラＢの組合わせからなる前後２組の搬送ローラ４1 ，４2 が、搬送ローラ３1 ，３2 ，３3 …の間隔と等しい間隔をもって配設されている。搬送ローラ４1 ，４2 は、通帳の搬送動作のほか、本発明では、重要な作用である通帳のめくり動作を行うものであるので、第一に、その駆動ローラＡは、搬送ローラ３1 ，３2 …の駆動ローラａよりも、通帳の紙面に対する摩擦力が大きい既知の材料で作られ、又は表面構造を有しており、第二に、第１搬送モータＭ１から独立した回転駆動手段である第２搬送モータＭ２により回転駆動されるようになっている。以下、搬送ローラ４1 ，４2 を、搬送ローラ３1 ，３2 …と識別しやすくするため、便宜的にめくりローラと称する。
また、めくりローラ４1 ，４2 は、正転、逆転又は停止を同時又は各別に行われる必要があるので、各別の第２搬送モータにより駆動するようにしても良いが、コスト低減のため、図示の例のように、一つの第２搬送モータＭ２を用い、第２搬送モータＭ２と各駆動ローラＡ１，Ａ２の間にそれぞれ断続手段、例えば、電磁クラッチＣＬ1 ，ＣＬ2 などを設けた構成とすることが良い。
【００１０】
第２搬送モータＭ２と電磁クラッチＣＬ1 ，ＣＬ2 からなる回転駆動手段の制御タイミング及び後述される昇降駆動手段の制御タイミングをそれぞれ各列に設定して作られたプログラムを選択的に読出して実行させることにより、同一のめくりローラ４1 ，４2 を通帳の表紙又は中紙の頁めくり動作を行う頁めくり機構として用いている。
【００１１】
めくりローラ４1 ，４2 の間における搬送面の上側には、その搬送面と平行に延びるガイド板５が昇降自在に備えられ、このガイド板５はソレノイドＳＯＬ１とそのプランジャに接続されたアーム６などからなる昇降駆動手段７に結合されている。ガイド板５は、搬送される通帳が前後のめくりローラ４1 ，４2 の間を円滑に移動するように案内するためのものである。そして、昇降駆動手段７は、ガイド板５を搬送面に近接した案内位置に下降させ、かつ、退避位置に上昇させてめくりローラ４1 ，４2 の間の搬送面を上方に開放させるためのものである。
【００１２】
また、２組のめくりローラ４1 ，４2 の間にめくり領域が設けられ、そのめくり領域における搬送面の下側には、めくりローラ４1 の前方からめくりローラ４2 の後方まで連続する固定ガイド５Ｆが設けられている（図２参照）。図１には、図面簡明化のため、図示が省略されている。
【００１３】
搬送されてくる通帳に対して頁めくり動作を行う場合のタイミングを設定するため、通帳が基準位置に到達したことを検知するための検知器Ｓ２が、一例として、めくりローラ４1 の直前に設けられている。
【００１４】
本発明による頁めくり機構は、最小限、上記の構成要素により所望の作用効果を実現することができる。しかし、その作用効果を確実にするため、次のような押えローラ昇降手段８1 ，８2 及び頁押え手段９1 ，９2 が付加されている。
すなわち、両めくりローラ４1 ，４2 の押えローラＢ１，Ｂ２には、これをそれぞれ駆動ローラＡ１，Ａ２に押圧又は離間させるための押えローラ昇降手段８1 ，８2 が結合されている。押えローラ昇降手段８1 は、ソレノイドＳＯＬ２と、そのプランジャに接続された連結部材９と、一端部の支点１０で揺動自在に支持され、中間部に前記連結部材９が枢支され、他端部で前記押えローラＢ１の軸を支持しているアーム１１とからなっている。そして、ソレノイドＳＯＬ２がＯＦＦの状態にある通常時は、アーム１１が図示を省略された付勢部材により常に上向きに付勢されていることにより、押えローラＢ１が駆動ローラＡ１に押圧接触する状態に保持されている。これに対して、ソレノイドＳＯＬ２がＯＮされた時は、押えローラＢ１が駆動ローラＡ１から下方に移動して離間されるようになっている。
押えローラ昇降手段８2 も同様の要素ＳＯＬ３，９〜１１で構成され、押えローラ昇降手段８1 と対称に配置されており、ＳＯＬ３のＯＮ／ＯＦＦにより同様の作用をする。
【００１５】
また、めくりローラ４1 の駆動ローラＡ１の前方至近位置、及び、めくりローラ４2 の駆動ローラＡ２の後方至近位置には、それぞれ頁押え手段９1 ，９2 が設けられている。頁押え手段９1 は、搬送面の上側において中間の支点で揺動自在に支持された頁押え部材１２と、その頁押え部材の後端部の上方に設けられた駆動手段としてのソレノイドＳＯＬ４と、そのソレノイドのプランジャに接続され、頁押え部材１２の後端部に枢支された連結部材１３とからなっている。そして、ソレノイドＳＯＬ４がＯＦＦの状態にある通常時は、頁押え部材１２が水平状態になり、搬送面から上方に離間された退避位置に保持されている。そして、ソレノイドＳＯＬ４がＯＮされたときは、頁押え部材１２が回動されて、その前端部が搬送面に接近した押え位置に移動されるようになっている。
頁押え手段９2 も同様の要素ＳＯＬ５、１２〜１３で構成され、頁押え手段９1 と対称に配置されており、ＳＯＬ５のＯＮ／ＯＦＦにより同様の作用をする。
【００１６】
上記検知器Ｓ１，Ｓ２、搬送モータＭ１、Ｍ２、電磁クラッチＣＬ1 ，ＣＬ2 、昇降駆動手段７のソレノイドＳＯＬ１、押えローラ昇降手段８1 ，８2 のソレノイドＳＯＬ２，ＳＯＬ３、及び頁押え手段のソレノイドＳＯＬ４，ＳＯＬ５は、図１の下側に示すように、インタフェース１４を介してＣＰＵで構成されている制御部１５に接続されている。制御部１５には、プログラムを格納した記憶部１６も接続されている。上記プログラムは、通帳に対するめくり動作をするための後述されるシーケンス制御を行うためのものである。これらのプログラムを実行する制御部１５が通帳めくり動作を行う制御手段を構成している。
本発明によるめくり機構は、表紙めくり、すなわち、閉じられている通帳の表紙のみをめくって開く動作と、中紙めくり、すなわち、見開き状態の通帳の中紙を指定頁までめくる動作とを行うことができる。
【００１７】
続いて、上記構成による通帳めくり動作を図２ないし図４を参照しながら説明する。
本発明による通帳処理装置は、上記通帳めくり機構の搬送モータＭ２、前後のめくりローラ４1 ，４2 を用いて、制御手段による制御モードを変えることにより、通帳の表紙めくり、又は中紙めくりを行うことができる。
【００１８】
また、中紙めくりは、めくり方向により、正めくりと逆めくりの２態様に分けることができる。図示を省略したが、表紙めくりモード、中紙めくりモードを選択するための入力部が図１のインタフェース１４に接続され、また、記憶部１６には、表紙めくりモード、中紙めくりモードのそれぞれに対応するシーケンス制御を規定するプログラムが格納されており、前記入力部で選択されたモードに対応するプログラムが読み出されて実行される。
検知器Ｓ１とＳ２の間に、挿入された通帳の長さを検出するための検知器（図示せず）を設けて、挿入された通帳を機内に搬送する際に、その検知器により検出された通帳長さから、その通帳が閉じた状態か、見開き状態かを判別し、その判別結果に対応して、表紙めくりモード又は中紙めくりモードを自動的に指定することも可能である。通帳処理装置の制御部１５に処理管理手段を設け、管理している処理がどの頁まで行われたかにより、表紙めくりモード、中紙めくりモードのいずれかを自動的に選択して実行させることも可能である。
【００１９】
次に、表紙めくりについて、図２ないし図４に基づいて説明する。
図２はハードウェア構成の動作説明図、図３は制御部による制御動作を説明するフローチャート、図４は同じくタイミングチャートである。
上述したように、入力部において表紙めくりモードが選択されると、又は通帳長さ検出に基づき表紙めくりモードが自動的に指定されると、制御部１５は挿入排出口１からの通帳の挿入を待機する（ｐ１０１）。表紙めくりモードの場合は、通帳をその表紙を上向きにして閉じた状態で、すなわち、閉じた通帳の綴じ目を前方に向けて、通帳を挿入排出口１に挿入されることが要請される。そして、通帳の挿入を検知すると（ｐ１０１においてＹ）、第１搬送モータＭ１及び第２搬送モータＭ２を正転起動し、その通帳を機内に搬送する（ｐ１０２）。その通帳の先端部が基準位置到達検知器Ｓ２を通過する（ｐ１０３においてＹ）と、第２搬送モータＭ２のステップ管理において、ステップ数が所定値（ｎ１）になったとき、すなわち、その通帳の先端がめくりローラ４2 に挟持される直前に、両搬送モータＭ１，Ｍ２を停止するとともに、電磁クラッチＣＬ２をＯＦＦして、めくりローラ４2 に回転力が与えられないようにする（ｐ１０４）（図２（ａ））。
【００２０】
続いて、昇降駆動手段７のソレノイドＳＯＬ１及びめくりローラ４2 に対応する頁押え手段９2 のソレノイドＳＯＬ５をＯＮして、ガイド板５を退避位置に移動させるとともに、頁押え手段９2 の頁押え部材１２を搬送面を遮断する位置まで回動させ（ｐ１０５）た後、第２搬送モータＭ２をステップ数が所定値（ｎ２）になるまで正転起動させる（ｐ１０６）。これにより、めくりローラ４1 が正転されるため、これに挟持されている通帳の表紙に搬送力が加わるが、今は、通帳の先端の綴じ目が停止されているめくりローラ４2 又は頁押え部材１２により止められているので、閉じている通帳の表紙ＦＰのみが中紙ＭＰから分離前進され、上方に凸面となるように湾曲する。
そして、ステップ数がｎ２になった時に、第２搬送モータＭ２の正転を停止し、同時にめくりローラ４1 に対応する押えローラ昇降手段８1 のソレノイドＳＯＬ２をＯＮする（ｐ１０７）。これにより、めくりローラ４1 の押えローラＢ１が搬送面から下方に離間される。続いて、めくりローラ４1 に対応する頁押え手段９1 のソレノイドＳＯＬ４をＯＮしてその頁押え手段９1 の頁押え部材１２を搬送面を遮断する位置まで回動させ（ｐ１０８）て、めくりローラ４1 に残っている頁をめくりローラ４1 の駆動ローラＡ１から離間させる。これにより、その後の搬送モータＭ２の正転起動時（ｐ１０９）に、駆動ローラＡ１の搬送力が前記残っている頁に加わらないようにしてある。従って、ステップｐ１０９における搬送モータＭ２により回転されている駆動ローラＡ１により、図２（ｂ）のように湾曲状態にあった表紙のみがさらに撓んで、最終的にはその表紙の弾性復元力によりその後端部が駆動ローラＡ１の外周から外れて、表紙ＦＰが駆動ローラ４1 の上側に移動する（図２（ｃ））。
【００２１】
めくりローラ４1 の駆動ローラＡ１の外周面は摩擦係数の大きな材料で作られていて、その駆動ローラと通帳の表紙の間の摩擦力は表紙と中紙との間の摩擦力よりも大きいので、頁押え手段９1 の頁押え部材１２により、めくりローラ４1 の間に残った頁を押えずに駆動ローラＡ１のみ回転させても、表紙に次の中紙が引きづられてめくられる可能性は少ないが、表紙と中紙の間、又は前後の中紙の間に粘着性物質が存在するために、めくり対象の表紙又は中紙に次の中紙が引きづられる可能性も否定できないので、頁押え手段９1 を備えることが望ましい。
【００２２】
通帳Ｂは綴じ目Ｆがめくりローラ４2 に挟持される直前の状態でめくりローラ４1 から搬送力を与えられるため、表紙が容易にめくり動作を開始する。そして、めくりローラ４1 の正転起動時から所定ステップ数ｎ３になった時に、すなわち、表紙ＦＰが駆動ローラＡ１の上側に分離移動された時に、第２搬送モータＭ２の正転を停止し（ｐ１１０）、続いて、押えローラ昇降手段８1 のソレノイドＳＯＬ２及び頁押え手段９1 のソレノイドＳＯＬ４をＯＦＦして、後方のめくりローラ４1 のニップを閉じるとともに、頁押え部材１２を退避位置に復帰させる（ｐ１１１）。
【００２３】
続いて、電磁クラッチＣＬ２をＯＮさせて第２搬送モータＭ２とめくりローラ４2 の駆動ローラＡ２を結合し、かつ、後方の頁押え手段９2 のソレノイドＳＯＬ５をＯＦＦして頁押え部材１２を退避位置に復帰させ（ｐ１１２）た後、第１搬送モータＭ１及び第２搬送モータＭ２を逆転起動させる（ｐ１１３）（図２（ｄ））。
これにより、表紙が半開きの状態になった通帳Ｂが挿入排出口１の方向に搬送される。その際に、表紙ＦＰは、めくりローラ４1 によりさらに反転されて、見開き状態になるようにめくられながら移動する（図２（ｄ））。第１搬送モータＭ１及び第２搬送モータＭ２の逆転起動時点から所定ステップ数ｎ４になった時に、すなわち、反転される表紙が搬送面まで下がりうる範囲まで進行された時に、昇降駆動手段７のソレノイドＳＯＬ１をＯＦＦさせて、ガイド板５を案内位置に下降させる（ｐ１１４）。
そして、挿入排出検知器Ｓ１が暗から明になる（ｐ１１５でＹ）と、すなわち、その通帳Ｂが挿入排出口１から抜取られると、第１搬送モータＭ１及び第２搬送モータＭ２が停止される（ｐ１１６）。
【００２４】
上記実施例のように、本発明の通帳処理装置によれば、一つの搬送モータＭ２の回転駆動力を二つのクラッチＣＬ1 ，ＣＬ2 によりめくりローラ４1 ，４2 の駆動ローラＡ１，Ａ２を各別に断続するようにしたので、搬送モータの使用数が削減され、装置の大型化を防止することができる。
めくり動作の開始時点を決定する基準位置到達検知器Ｓ２は、通帳の逆めくりの場合にも使用可能であるが、逆めくり動作の開始時点を決定するために、搬送ローラＡ２の直後に検知器Ｓ２とは別の検知器を設けても良い。
【００２５】
進んで、中紙めくりモードの中の正めくりが指定された場合の動作について、図５ないし図７に基づいて説明する。
図５は通帳の中紙正めくり（下頁を上頁側にめくる場合）の場合のハードウェア構成の動作説明図、図６は制御部による正めくり制御動作を説明するフローチャート、図７は同じくタイミングチャートである。
中紙めくりモードにおいては、通帳Ｂは見開き状態で挿入されることが要請される。正めくりモードが指定された時は、その通帳について、何頁めくるかを指定する指定頁数データが入力部から又は上位装置から制御部１５に与えられる。そして、ステップｐ２０１からｐ２１１までの制御動作は、ステップｐ２０４における指定ステップ数がｎ５とされるほかは、表紙めくりモードにおけるステップｐ１０１からｐ１１１までの制御動作とほぼ同一である。
すなわち、正めくりモードにおいては、通帳が見開き状態で挿入され、ステップｐ２０４における指定ステップ数がｎ５と（＞ｎ１）とされていることにより、ステップｐ２０４で搬送モータＭ１，Ｍ２が停止された時は、通帳は図５（ａ）に示すように、見開き状態の通帳の綴じ目至近及び後端部がそれぞれめくりローラ４2 及び４1 に挟持され、かつ、綴じ目Ｆがめくりローラ４2 のニップの直前に位置する状態にある。
【００２６】
そして、ステップｐ２０６〜２１１までに最上位の中紙１枚を他の中紙から分離し、めくりローラ４1 の上側にめくった後は、指定頁数から１デクリメントし（ｐ２１２）、その結果（めくり残）が０か否かを判断し（ｐ２１３）、０でない場合は、ステップｐ２０６に戻って、再び第２搬送モータＭ２を正転して、次の中紙の頁めくり動作を行う。指定頁数のめくりが終了するまで、すなわち、めくり残が０になるまで、ステップｐ２０７〜ｐ２１２の実行が繰り返される。
指定頁数のめくり動作を終了した後（ｐ２１３おいてＹの場合）は、表紙めくりモードの場合のステップｐ１１２からｐ１１６までと同様に、クラッチＣＬ２、搬送モータＭ１，Ｍ２、ソレノイドＳＯＬ１を制御し、見開き状態で所定の頁までめくられた通帳が挿入排出口１まで搬送される（ｐ２１４〜ｐ２１８）。ただし、正めくりモードにおいては、ステップｐ２１６における、反転される中紙が搬送面まで下がりうる範囲まで進行された時に、昇降駆動手段７のソレノイドＳＯＬ１をＯＦＦさせるタイミングを設定する指定ステップ数がｎ６とされている。
【００２７】
中紙めくりをされた通帳に対して印字処理を行う場合は、ステップｐ２１６の後に、基準位置到達検知器Ｓ２が明になった時に、ステップｐ２１７に移行するルーチンを設け、その後、通常の印字処理の場合のプログラムに従って搬送制御が行われ、所定頁が印字位置に対応するまで再び搬送される。
【００２８】
なお、上記表紙めくりモードにおける表紙めくり終了後に、その通帳に対して上述したように中紙めくりを行う場合は、図３のステップｐ１１４における指定ステップ数ｎ４の値を少なく設定し、その通帳の後端部が基準位置検知器Ｓ２を明にした時点で搬送モータＭ１，Ｍ２の逆転を止め、かつ、正転した後、図６のステップｐ２０３に移行することにより、引き続き、中紙めくりモードを自動的に進行させることが可能である。
【００２９】
最後に、中紙めくりの中の中紙逆めくりモードが指定された場合の動作について、図８及び図９に基づいて説明する。図８は通帳の中紙逆めくりの場合のフローチャート、図９は同じくタイミングチャートである。
この場合のハードウェア構成の動作は、図５から類推できるので、図示を省略する。
中紙逆めくりは、見開き状態で挿入された通帳の上頁を下頁の上側にめくるものである。従って、このモードが指定された場合は、図５（ａ）とは逆に、通帳Ｂの先端が前方のめくりローラ４2 のニップ部を通過した直後で、かつ、綴じ目Ｆが後方のめくりローラ４1 のニップ部に進入する直前の状態で停止するように、図８のステップｐ３０４のステップ数ｎ７が設定されている。
【００３０】
挿入された通帳の最初の停止をした後は、制御部１５は、電磁クラッチＣＬ1 をＯＦＦして、搬送方向後方のめくりローラ４1 に回転力が伝わらないようにし（ｐ３０１〜ｐ３０４）、また、ソレノイドＳＯＬ１をＯＮしてガイド板５を退避位置に移動させた（ｐ３０５）後に、第２搬送モータＭ２を逆転起動させる（ｐ３０６）とともに、１枚の分離離間に必要な所定ステップ数ｎ２になった時に、第２搬送モータＭ２の逆転を停止し、押えローラ昇降手段のソレノイドＳＯＬ３をＯＮしてめくりローラ４2 の押えローラＢ２を駆動ローラＡ２から離間させる（ｐ３０７）。続いて、頁押え手段９2 のソレノイドＳＯＬ５をＯＮし、頁押え部材１２を回動させて、通帳の先端を押圧させ（ｐ３０８）、再び搬送モータＭ２を指定ステップ数ｎ３になるまで逆転させる（ｐ３０９，３１０）。この間に、上頁側の中紙が前方のめくりローラ４2 によりめくられる。
【００３１】
その後、ソレノイドＳＯＬ３，ＳＯＬ５を一端ＯＦＦにし（ｐ３１１）、指定頁数から１をデクリメントし（ｐ３１２）、その結果（めくり残）が０になったか否かを判断し（ｐ３１３）、０でなければ、ステップｐ３０６に戻って、再び次の頁について逆めくり動作を行う。そして、めくり残がＯになったとき、電磁クラッチＣＬ1 をＯＮし（ｐ３１４）、第１搬送モータＭ１及び第２搬送モータＭ２を正転起動して、所定頁までめくられた通帳をめくりローラ４2 方向に移動させる（ｐ３１５）。これにより、めくられたすべての頁が下頁の上側に反転し、頁めくりが完了する。
【００３２】
そして、指定ステップ数ｎ６になったとき、すなわち、めくられた頁が搬送面に降下できる領域まで前進された時に、搬送モータＭ１，Ｍ２の正転を停止するとともに、ソレノイドＳＯＬ１をＯＦＦしてガイド板５を案内位置に復帰させ（ｐ３１６）、その後、図６におけるステップｐ２１５〜ｐ２１８までと同様に、両搬送モータＭ１，Ｍ２の逆転起動（ｐ３１７）、挿入検知器Ｓ１が暗から明に変化したこと（ｐ３１８でＹ）に基づく、両搬送モータＭ１，Ｍ２の逆転停止（ｐ４１５）を行って、制御部１５による制御を終了する。
【００３３】
中紙逆めくり動作をして、所定頁において見開き状態になった通帳のその頁に対して印字処理等を行う場合は、上述された場合と同様にして、通常の印字処理プログラムに移行される。
【００３４】
【発明の効果】
上述のように、本発明によれば、閉じた状態で挿入された通帳に対しては、その表紙をめくることができる。従って、従来と異なり、挿入前に見開き状態にする際に、記帳内容が他人に見られることを防止することができる。また、見開き状態で挿入された通帳に対しては、中紙めくりを、正めくり又は逆めくりのいずれにおいても行うことができる。しかも、１頁のめくり動作の終盤において、押えローラのめくりローラからの離間と通帳の残された頁の搬送面に対する押圧がなされるので、めくりローラの回転力が残された頁への伝達が積極的に遮断されるため、残される頁がめくられる頁に引きつられることが確実に防止される。また、前後２組の搬送ローラの駆動ローラをめくりローラとして用い、通帳を停止したままめくりローラを所定方向に所定量回転することにより、中紙めくりが可能であるから、１枚めくるたびに通帳の正逆搬送を必要とした従来と異なり、所定頁まで連続的にめくることができ、所要時間が著しく短縮される。さらに、従来の搬送ローラとは別のめくりローラを設ける場合の設置困難性が解消される。
【００３５】
また、請求項２の発明によれば、表紙から中紙まで、又は中紙の所定頁まで連続してめくる際に、残される中紙がめくられる表紙又は中紙に引き釣られることが確実に防止される。従って、誤った頁に印字処理などをすることが防止される。
【図面の簡単な説明】
【図１】  本発明の通帳処理装置を基本的構成を概略的に示す構成図である。
【図２】  表紙めくり動作を行う場合の機構動作説明図である。
【図３】  制御部による表紙めくりの制御動作を説明するフローチャートである。
【図４】  同じくタイミングチャートである。
【図５】  中紙の正めくり動作を行う場合の機構動作説明図である。
【図６】  制御部による中紙正めくりの制御動作を説明するフローチャートである。
【図７】  同じくタイミングチャートである。
【図８】  制御部による中紙逆めくりの制御動作を説明するフローチャートである。
【図９】  同じくタイミングチャートである。
【符号の説明】
１  挿入排出口
Ｍ１，Ｍ２  搬送モータ
３1 ，３2 …  搬送ローラ
４1 ，４2  搬送ローラを兼ねるめくりローラ
Ａ１，Ａ２  駆動ローラ
Ｂ１，Ｂ２  押えローラ
５  ガイド板
７  昇降駆動手段
８1 ，８2  押えローラ昇降手段
９1 ，９2  頁押え手段
ＳＯＬ４，ＳＯＬ５  駆動手段
１２  頁押え部材
【図１】
0003679240.tif 000002
【図２】
0003679240.tif 000003
【図３】
0003679240.tif 000004
【図４】
0003679240.tif 000005
【図５】
0003679240.tif 000006
【図６】
0003679240.tif 000007
【図７】
0003679240.tif 000008
【図８】
0003679240.tif 000009
【図９】
0003679240.tif 000010